(57)【要約】【課題】低コストで製造することができ、可撓性支持体の表面に転写される塗布液の量を、所望のように、制御することができるバー塗布装置を提供する。【解決手段】回転可能なバー１と、バーを支持するとともに、バーの上流側に、塗布液を供給するスリット４が形成された支持ブロック２と、支持ブロックの両側に設けられた一対のサイドプレート１５、１５とを備え、支持ブロックに形成されたスリットから供給された塗布液が、バー、支持ブロックおよび一対のサイドプレートによって画定された空間内に、液溜めを形成するように、バー、支持ブロックおよび一対のサイドプレートが配置されたことを特徴とするバー塗布装置。【選択図】      図１
2004305979.tif 000002
【特許請求の範囲】
【請求項１】
回転可能なバーと、前記バーを支持するとともに、塗布液を塗布すべき可撓性支持体の搬送方向に対して、前記バーの上流側に、塗布液を供給するスリットが形成された支持ブロックと、前記可撓性支持体の幅方向に対して、前記支持ブロックの両側に設けられた一対のサイドプレートとを備え、前記支持ブロックに形成された前記スリットから供給された塗布液が、前記バー、前記支持ブロックおよび前記一対のサイドプレートによって画定された空間内に、液溜めを形成するように、前記バー、前記支持ブロックおよび前記一対のサイドプレートが配置されたことを特徴とするバー塗布装置。
【請求項２】
前記一対のサイドプレートが、塗布液を塗布すべき可撓性支持体の両縁部の内側に設けられたことを特徴とする請求項１に記載のバー塗布装置。
【請求項３】
前記一対のサイドプレートに、それぞれ、切り欠きが形成され、前記バーが、前記切り欠きを通って、延びていることを特徴とする請求項１または２に記載のバー塗布装置。
【請求項４】
前記バーの上流側において、前記支持ブロックの頂部が略三角形断面を有していることを特徴とする請求項１ないし３のいずれか１項に記載のバー塗布装置。
【請求項５】
前記支持ブロックが、前記バーを支持する第一の支持ブロックと、略三角形断面を有する頂部を備えた第二の支持ブロックを備え、前記第一の支持ブロックと、前記第二の支持ブロックの間に、前記スリットが形成され、前記支持ブロックに形成された前記スリットから供給された塗布液が、前記バー、前記第二の支持ブロックの前記頂部および前記一対のサイドプレートによって画定される空間内に、液溜めを形成するように、前記バー、前記第一の支持ブロック、前記第二の支持ブロックおよび前記一対のサイドプレートが配置されたことを特徴とする請求項４に記載のバー塗布装置。
【請求項６】
前記第一の支持ブロックが、前記バーよりも柔らかい金属によって形成されたことを特徴とする請求項１ないし５のいずれか１項に記載のバー塗布装置。
【発明の詳細な説明】
【０００１】
【発明の属する技術分野】
本発明は、バー塗布装置に関するものであり、さらに詳細には、低コストで製造することができ、可撓性支持体の表面に転写される塗布液の量を、所望のように、制御することができるバー塗布装置に関するものである。
【０００２】
【従来の技術】
塗布液を塗布すべき可撓性支持体の表面に、塗布液を押し出して、塗膜を形成し、らせん状の溝が形成された回転するバーを、塗膜に押し当てて、過剰な塗布液を掻き落として、計量し、所望の厚さを有する塗膜を形成するバー塗布装置が知られている。
【０００３】
バー塗布装置は、簡易な構造で、かつ、簡易な操作で、比較的良好な塗膜を形成することができるため、広く用いられている。
【０００４】
バー塗布装置としては、スリットから、塗布液を、直接、可撓性支持体の表面上に吐出して、転写する塗布液転写部と、バーによって、可撓性支持体の表面上に転写された過剰な塗布液を掻き落として、計量する塗布液計量部とが別個に設けられたものが広く使用されているが、装置のコンパクト化を図るために、スリットから、塗布液を、直接、可撓性支持体の表面上に吐出して、転写する塗布液転写部と、バーによって、可撓性支持体の表面上に転写された過剰な塗布液を掻き落として、計量する塗布液計量部とを一体化したバー塗布装置が提案されている（たとえば、特開平６−２９６９２２号公報など）。
【特許文献１】特開平６−２９６９２２号公報
【発明が解決しようとする課題】
しかしながら、スリットから、塗布液を、直接、可撓性支持体の表面上に吐出して、転写する場合には、可撓性支持体の表面に転写される塗布液の量を、所望のように、制御するためには、スリットを精度よく加工することが必要不可欠であり、バー塗布装置の製造コストが増大するという問題があった。
【０００５】
したがって、本発明は、低コストで製造することができ、可撓性支持体の表面に転写される塗布液の量を、所望のように、制御することができるバー塗布装置を提供することを目的とするものである。
【０００６】
【課題を解決するための手段】
本発明のかかる目的は、回転可能なバーと、前記バーを支持するとともに、塗布液を塗布すべき可撓性支持体の搬送方向に対して、前記バーの上流側に、塗布液を供給するスリットが形成された支持ブロックと、前記可撓性支持体の幅方向に対して、前記支持ブロックの両側に設けられた一対のサイドプレートとを備え、前記支持ブロックに形成された前記スリットから供給された塗布液が、前記バー、前記支持ブロックおよび前記一対のサイドプレートによって画定された空間内に、液溜めを形成するように、前記バー、前記支持ブロックおよび前記一対のサイドプレートが配置されたことを特徴とするバー塗布装置によって達成される。
【０００７】
本発明によれば、バー塗布装置は、回転可能なバーと、バーを支持するとともに、塗布液を塗布すべき可撓性支持体の搬送方向に対して、バーの上流側に、塗布液を供給するスリットが形成された支持ブロックと、可撓性支持体の幅方向に対して、支持ブロックの両側に設けられた一対のサイドプレートとを備え、支持ブロックに形成されたスリットから供給された塗布液が、バー、支持ブロックおよび一対のサイドプレートによって画定された空間内に、液溜めを形成するように、バー、支持ブロックおよび一対のサイドプレートが配置されているから、高い精度で、スリットを形成しなくても、所望の量の塗布液を、可撓性支持体の表面に転写することが可能になる。
【０００８】
本発明の好ましい実施態様においては、前記一対のサイドプレートが、塗布液を塗布すべき可撓性支持体の両縁部の内側に設けられている。
【０００９】
本発明の好ましい実施態様によれば、一対のサイドプレートが、塗布液を塗布すべき可撓性支持体の両縁部の内側に設けられているから、塗布液によって形成される液溜めの幅を、一対のサイドプレートによって規制して、可撓性支持体の両縁部に、塗布液が塗布されない部分を残すことができ、したがって、塗膜を形成した後に、可撓性支持体を巻き取ったときに、可撓性支持体の両縁部に形成された塗膜が接着し、再び、可撓性支持体を繰り出すときに、可撓性支持体が裂けたりすることを、確実に防止することが可能になる。
【００１０】
本発明のさらに好ましい実施態様においては、前記一対のサイドプレートに、それぞれ、切り欠きが形成され、前記バーが、前記切り欠きを通って、延びている。
【００１１】
本発明のさらに好ましい実施態様においては、前記バーの上流側において、前記支持ブロックの頂部が略三角形断面を有している。
【００１２】
本発明のさらに好ましい実施態様によれば、バーの上流側において、支持ブロックの頂部が略三角形断面を有しているから、バーと、支持ブロックおよび一対のサイドプレートの間に、十分な量の塗布液を含む液溜めを形成することができ、したがって、高い精度で、スリットを形成しなくても、所望の量の塗布液を、可撓性支持体の表面に転写することが可能になる。
【００１３】
本発明のさらに好ましい実施態様においては、前記支持ブロックが、前記バーを支持する第一の支持ブロックと、略三角形断面を有する頂部を備えた第二の支持ブロックを備え、前記第一の支持ブロックと、前記第二の支持ブロックの間に、前記スリットが形成され、前記支持ブロックに形成された前記スリットから供給された塗布液が、前記バー、前記第二の支持ブロックの前記頂部および前記一対のサイドプレートによって画定される空間内に、液溜めを形成するように、前記バー、前記第一の支持ブロック、前記第二の支持ブロックおよび前記一対のサイドプレートが配置されている。
【００１４】
本発明のさらに好ましい実施態様によれば、支持ブロックが、バーを支持する第一の支持ブロックと、略三角形断面を有する頂部を備えた第二の支持ブロックを備え、第一の支持ブロックと、第二の支持ブロックの間に、スリットが形成され、支持ブロックに形成されたスリットから供給された塗布液が、バー、第二の支持ブロックの頂部および一対のサイドプレートによって画定される空間内に、液溜めを形成するように、バー、第一の支持ブロック、第二の支持ブロックおよび一対のサイドプレートが配置されているから、十分な量の塗布液を含む液溜めを形成することができ、したがって、したがって、高い精度で、スリットを形成しなくても、所望の量の塗布液を、可撓性支持体の表面に転写することが可能になる。
【００１５】
本発明のさらに好ましい実施態様においては、前記第一の支持ブロックが、前記バーよりも柔らかい金属によって形成されている。
【００１６】
本発明のさらに好ましい実施態様によれば、第一の支持ブロックが、バーよりも柔らかい金属によって形成されているから、第一の支持ブロックとの接触によって、バーが磨耗し、塗膜の厚さが、経時的に変化することを効果的に防止することが可能になる。
【００１７】
【発明の実施の形態】
以下、添付図面に基づいて、本発明の好ましい実施態様につき、詳細に説明を加える。
【００１８】
図１は、本発明の好ましい実施態様にかかるバー塗布装置の略断面図である。
【００１９】
図１に示されるように、本実施態様にかかるバー塗布装置は、その表面に、らせん状の溝（図示せず）が形成されたバー１と、バー１を支持する支持ブロック２を備えている。
【００２０】
バー１は、たとえば、１０ｍｍの直径を有している。
【００２１】
図１に示されるように、本実施態様においては、支持ブロック２は、一体的に形成された第一の支持ブロック２ａ、第二の支持ブロック２ｂおよび第三の支持ブロック２ｃを備え、第一支持ブロック２ａと第二の支持ブロック２ｂとの間に、ポケット３を介して、塗布液を供給するスリット４が形成されている。
【００２２】
本実施態様においては、バー１は、加工精度の高いステンレス鋼によって形成され、バー１が当接される第一の支持ブロック２ａは、バー１の磨耗を防止するため、真鍮や銅などのステンレス鋼に比して、柔らかい材料によって形成されている。一方、バー１が当接しない第二の支持ブロック２ｂおよび第三の支持ブロック２ｃは、ステンレス鋼によって形成されている。
【００２３】
図１に示されるように、第二の支持ブロック２ｂの頂部は、略三角形断面を有しており、第二の支持ブロック２ｂの頂部とバー１の間に、スリット４から供給された塗布液の液溜め５が形成されている。
【００２４】
バー１は、可撓性支持体６の搬送方向に対して、反対方向に、すなわち、図１において、時計まわりに回転され、ポリエチレンテレフタレートなどによって形成された可撓性支持体６は、ガイドローラ７、７によって、バー１の表面に強く押し付けられるようにして、搬送される。
【００２５】
図１に示されるように、第一の支持ブロック２ａには、バー１の下方に、過剰の塗布液を排出するドレイン通路８が形成されている。ドレイン通路８の下端部は、幅方向に沿って、延び、ドレイン通路８に流入した塗布液を容易に回収することができるように、下方に向かって、傾斜するように形成されている。
【００２６】
図１に示されるように、第三の支持ブロック２ｃには、バー１の表面に付着した塗布液およびバー１の表面に同伴されている塗布液を掻き落とすドクターブレード１０が取り付けられている。
【００２７】
ドクターブレード１０の幅は、液溜め５の幅よりも広く、本実施態様においては、ドクターブレード１０はポリエステルによって形成されている。
【００２８】
図１に示されるように、本実施態様においては、ブレード押さえ板１１が、ねじ１２によって、第三の支持ブロック２ｃに取り付けられており、ドクターブレード１０は、第一の支持ブロック２ａおよび第三の支持ブロック２ｃとブレード押さえ板１１との間の空間に、ブレード押さえ板１１を貫通する位置決めピン１３に当接するまで差し込まれ、ドクターブレード１０が、位置決めピン１３に当接すると、ねじ１２が締め込まれて、ドクターブレード１０が、第一の支持ブロック２ａおよび第三の支持ブロック２ｃ上に固定されるように構成されている。
【００２９】
図２は、図１のＡ−Ａ線に沿ったバー塗布装置の略中央断面図であり、図３は、図１に示されたバー塗布装置の略一部側面図である。
【００３０】
図２および図３に示されるように、可撓性支持体６の両縁部の内側には、塗布液の液溜め５の両端面を画定する一対のサイドプレート１５、１５が設けられており、バー１は、一対のサイドプレート１５、１５に形成された切り欠き１６を通って、一対のサイドプレート１５、１５の両側に延びている。
【００３１】
サイドプレート１５、１５の上端部と可撓性支持体６が接触すると、可撓性支持体６が損傷されたり、静電気が発生するおそれがあるので、一対のサイドプレート１５、１５は、その上端部と可撓性支持体６との間に、わずかな間隙、たとえば、０．１ｍｍの間隙が形成されるように、配置されている。
【００３２】
本実施態様においては、サイドプレート１５、１５は、ポリテトラフルオロエチレンによって形成されている。
【００３３】
図３に示されるように、切り欠き１６は、切り欠き１６を介して、バー１を、バー塗布装置に、容易に着脱することができるような形状に形成されている。
【００３４】
図３に示されるように、一対のサイドプレート１５、１５には、開口部１７が形成されており、開口部１７を通って、ドレイン通路８が延びている。
【００３５】
図２に示されるように、一対のサイドプレート１５、１５の外側のバー１の部分には、バー押さえデバイス２０が、バー１に当接可能に設けられている。
【００３６】
図４は、バー押さえデバイス２０の略正面図である。
【００３７】
図４に示されるように、バー押さえデバイス２０は、それぞれ、駆動機構（図示せず）によって、昇降可能に構成され、従動回転が可能な２つのゴムローラ２１、２１を備え、２つのゴムローラ２１、２１によって、一対のサイドプレート１５、１５の外側のバー１の部分を押圧することにより、回転に伴うバー１の湾曲を防止するように構成されている。
【００３８】
図１および図２に示されるように、第一の支持ブロック２ａ、第二の支持ブロック２ｂおよび第三の支持ブロック２ｃは、バー１を駆動するバー駆動機構２５が固定された基台２６上に、取り付けられている。
【００３９】
図２に示されるように、基台２６の上面には、２つの位置決め用ピン２７、２７が形成されており、一方、第一の支持ブロック２ａの下面には、２つの位置決め用穴２８、２８が形成されている。
【００４０】
したがって、支持ブロック２を基台２６上に固定するに際しては、第一の支持ブロック２ａの２つの位置決め用穴２８、２８内に、基台２６の上面に形成された２つの位置決め用ピン２７、２７が挿入されるように、支持ブロック２を位置させることによって、支持ブロック２を、基台２６上の所定の位置に位置決めし、固定ねじ（図示せず）によって、基台２６上に固定することが可能になる。
【００４１】
図２に示されるように、基台２６の中央部には、調整ねじ３０が設けられており、調整ねじ３０によって、基台２６上に固定された第一の支持ブロック２ａの下面中央部を押し上げることができるように構成されている。
【００４２】
以上のように構成されたバー塗布装置を用いて、塗布液を、可撓性支持体６の表面に塗布する場合には、まず、支持ブロック２が、バー駆動機構２５が取り付けられた基台２６上に、取り付けられる。
【００４３】
基台２６上への支持ブロック２の取り付けにあたっては、第一の支持ブロック２ａの２つの位置決め用穴２８、２８内に、基台２６の上面に形成された２つの位置決め用ピン２７、２７が挿入されるように、支持ブロック２を位置させ、支持ブロック２を、固定ねじ（図示せず）によって、基台２６上に固定する
このように、第一の支持ブロック２ａの２つの位置決め用穴２８、２８内に、基台２６の上面に形成された２つの位置決め用ピン２７、２７が挿入されるように、支持ブロック２を位置させて、支持ブロック２を基台２６上に固定しているから、支持ブロック２を、つねに、基台２６上の所望の位置に位置決めして、固定することが可能になる。
【００４４】
次いで、バー１が、第一の支持ブロック２ａ上に位置するように、バー駆動機構２５にセットされる。
【００４５】
さらに、ドクターブレード１０が、第一の支持ブロック２ａおよび第三の支持ブロック２ｃと、ブレード押さえ板１１との間の空間に、ブレード押さえ板１１を貫通する位置決めピン１３に当接するまで差し込まれ、ドクターブレード１０が、位置決めピン１３に当接すると、ねじ１２が締め込まれて、ドクターブレード１０が、第一の支持ブロック２ａおよび第三の支持ブロック２ｃ上に固定される。
【００４６】
次いで、ポンプ（図示せず）によって、ポケット３を介して、スリット４に、塗布液が供給される。
【００４７】
その後、各バー押さえデバイス２０が、下降されて、各バー押さえデバイス２０の一対のゴムローラ２１、２１によって、一対のサイドプレート１５、１５の外側のバー１の部分が押圧される。
【００４８】
こうして、支持ブロック２、バー１、ドクターブレード１０およびバー押さえデバイス２０がセットされると、可撓性支持体６が、バー１の表面に強く押し付けられ、バー駆動機構２５によって、バー１が回転される。
【００４９】
各バー押さえデバイス２０の一対のゴムローラ２１、２１は、バー１の回転に伴って、回転される。
【００５０】
可撓性支持体６は、搬送装置（図示せず）によって、搬送されるが、ガイドローラ７、７によって、バー１の表面に強く押し付けられるため、局所的なたるみなど、可撓性支持体６が局所的に変形している場合にも、所望のように、可撓性支持体６の下面に、塗布液を塗布して、塗布層を形成することが可能になる。
【００５１】
本実施態様においては、可撓性支持体６の下面に塗布すべき塗布量よりも過剰の塗布液、たとえば、塗布量の１．１倍ないし１．５倍の塗布液が供給される。
【００５２】
ここに、ポケット３を介して、塗布液が供給されているため、ポンプの圧力変動を吸収することができる。
【００５３】
スリット４は、スリット４を介して、供給される塗布液の幅方向の流速分布を小さくするために、たとえば、約０．１ｍｍないし約０．２ｍｍの幅に形成されている。
【００５４】
第二の支持ブロック２ｂの頂部が、略三角形断面を有しているため、スリット４を介して、供給された塗布液は、第二の支持ブロック２ｂの頂部、バー１および一対のサイドプレート１５、１５によって画定される空間内に、液溜め５を形成し、液溜め５を形成している塗布液が、可撓性支持体６の下面に転写される。
【００５５】
このように、スリット４を介して、供給された塗布液が、第二の支持ブロック２ｂの頂部、バー１および一対のサイドプレート１５、１５の間に、液溜め５を形成し、液溜め５を形成している塗布液が、可撓性支持体６の下面に転写されるように構成されているから、スリット４が、所定の幅を有するように、精度よく形成されていない場合でも、所望の量の塗布液を、可撓性支持体６の下面に転写することができる。
【００５６】
本実施態様においては、可撓性支持体６の下面に塗布すべき塗布量よりも過剰の塗布液が、たとえば、塗布量の１．１倍ないし１．５倍の塗布液が供給されるように構成されているから、塗布液の一部は、第二の支持ブロック２ｂの頂部を越えて、液溜め５が形成されている側とは反対側の第二の支持ブロック２ｂの表面に沿って、流れ、塗布液回収部（図示せず）内に回収される。
【００５７】
こうして、可撓性支持体６の下面に転写された塗布液は、図１において、時計まわりに回転しているバー１によって、計量される。
【００５８】
本実施態様においては、塗布液の液溜め５の幅が、サイドプレート１５、１５によって規制されているから、可撓性支持体６の両縁部に、塗布液が塗布されない部分を残すことができ、したがって、塗膜を形成した後に、可撓性支持体６を巻き取ったときに、可撓性支持体６の両縁部に形成された塗膜が接着し、再び、可撓性支持体６を繰り出すときに、可撓性支持体６が裂けたりすることを確実に防止することが可能になる。
【００５９】
バー１は、第一の支持ブロック２ａの上面に当接しつつ、回転するように、構成されているから、図１において、時計まわりに回転しているバー１の表面に付着した塗布液や、バー１の表面に同伴された塗布液は、本来は、第一の支持ブロック２ａによって掻き落とされるはずであるが、一般に、バー１は細く、その径は、たとえば、１０ｍｍ程度であるため、反りや曲がりが生じやすく、回転されると、バー１は中央部が偏心した状態で回転され、その結果、バー１の表面に付着した塗布液や、バー１の表面に同伴された塗布液の一部が、第一の支持ブロック２ａによって掻き落とされることなく、バー１によって、運ばれて、バー１の下流側において、可撓性支持体６の表面に転写されるおそれがある。
【００６０】
しかしながら、本実施態様においては、バー１の下方の第一の支持ブロック２ａに、ドレイン通路８が形成されているため、第一の支持ブロック２ａによって掻き落とされることなく、バー１の表面に付着し、あるいは、バー１の表面に同伴された塗布液は、バー１の表面に形成されたらせん状の溝内に収容された塗布液とともに、ドレイン通路８内に流入し、下方に向かって、傾斜するように形成されたドレイン通路８の下端部を通って、回収され、バー１の表面に形成されたらせん状の溝内に収容された塗布液や、バー１の表面に付着した塗布液、あるいは、バー１の表面に同伴された塗布液が、バー１の下流側において、可撓性支持体６の表面に転写されることを効果的に防止することが可能になる。
【００６１】
さらに、本実施態様においては、第三の支持ブロック２ｃには、液溜め５よりも広幅に形成され、バー１の表面に付着している塗布液およびバー１の表面に同伴された塗布液を掻き落とすドクターブレード１０が取り付けられているから、バー１の表面に付着した塗布液およびバー１の表面に同伴された塗布液のうち、ドレイン通路８に流入しないで、回収されなかった塗布液は、ドクターブレード１０によって掻き落とされ、ドレイン通路８に流入して、回収され、したがって、バー１の表面に付着した塗布液、あるいは、バー１の表面に同伴された塗布液が、バー１の下流側において、可撓性支持体６の表面に転写されることを確実に防止することが可能になる。
【００６２】
また、上述のように、バー１は細いため、反りや曲がりが生じやすく、回転されると、バー１は中央部が偏心した状態で回転され、その結果、バー１の中央部において、支持部材２ａとの密着性が悪化して、可撓性支持体６とバー１の表面との接触圧力が低下し、バー１の中央部と、バー１の両端部に近い領域では、バー１によって、掻き落とされる塗布液の量が異なって、塗膜の厚さが変動するおそれがある。
【００６３】
そこで、本実施態様においては、基台２６の中央部に、バー１を形成しているステンレス鋼よりも柔らかい真鍮によって形成され、基台２６上に固定された第一の支持ブロック２ａの下面中央部を押し上げることができるように構成された調整ねじ３０が設けられ、調整ねじ３０によって、第一の支持ブロック２ａを介して、バー１の中央部を可撓性支持体６に押し付け、可撓性支持体６とバー１の表面との接触圧力を均一化することができるように構成されている。
【００６４】
たとえば、第一の支持ブロック２ａの押し上げ量は１ｍｍ程度である。
【００６５】
調整ねじ３０による第一の支持ブロック２ａの押し上げ量の調整は、塗布開始前におこなっても、塗膜の形成状態を観察した後におこなってもよく、塗布開始前に、暫定的に、調整ねじ３０によって、第一の支持ブロック２ａの押し上げ量を調整し、塗膜の形成状態を観察した後に、微調整するようにしてもよい。
【００６６】
さらに、本実施態様においては、バー押さえデバイス２０の２つのゴムローラ２１、２１によって、一対のサイドプレート１５、１５の外側のバー１の部分が押圧されるように構成されているから、回転によって、バー１が偏心した状態で回転することを抑制することが可能になる。
【００６７】
こうして、液溜め５を形成している塗布液が、可撓性支持体６の下面に転写され、バー１によって、過剰の塗布液が掻き落とされて、可撓性支持体６の下面に塗膜が形成される。
【００６８】
本実施態様によれば、第二の支持ブロック２ｂの頂部、バー１および一対のサイドプレート１５、１５によって画定される空間内に、塗布液によって、液溜め５が形成され、液溜め５を形成している塗布液が、可撓性支持体６の表面に転写されるように構成されているから、スリットから、塗布液を、直接、可撓性支持体６の表面上に吐出して、転写する場合に比して、塗布液の転写量を容易に制御することができる。
【００６９】
また、本実施態様によれば、可撓性支持体６の両縁部の内側には、塗布液の液溜め５の両端面を画定する一対のサイドプレート１５、１５が設けられ、塗布液の液溜め５の幅が、一対のサイドプレート１５、１５によって規制されているから、可撓性支持体６の両縁部に、塗布液が塗布されない部分を残すことができ、したがって、塗膜を形成した後に、可撓性支持体６を巻き取ったときに、可撓性支持体６の両縁部に形成された塗膜が接着し、再び、可撓性支持体６を繰り出すときに、可撓性支持体６が裂けたりすることを、確実に防止することが可能になる。
【００７０】
さらに、本実施態様によれば、バー１の下方の第一の支持ブロック２ａに、ドレイン通路８が形成されているから、バー１の表面に形成されたらせん状の溝内に収容された塗布液、バー１の表面に付着した塗布液およびバー１の表面に同伴された塗布液を、ドレイン通路８内に流入させて、下方に向かって、傾斜するように形成されたドレイン通路８の下端部を介して、回収することができ、したがって、バー１の表面に形成されたらせん状の溝内に収容された塗布液、バー１の表面に付着した塗布液あるいはバー１の表面に同伴された塗布液が、バー１の下流側において、可撓性支持体６の表面に転写されることを効果的に防止することが可能になる。
【００７１】
また、本実施態様によれば、第三の支持ブロック２ｃには、液溜め５よりも広幅に形成され、バー１の表面に付着している塗布液を掻き落とすドクターブレード１０が取り付けられているから、バー１の表面に付着した塗布液およびバー１の表面に同伴された塗布液のうち、ドレイン通路８に流入しないで、回収されなかった塗布液を、ドクターブレード１０によって掻き落として、ドレイン通路８内に流入させ、回収することができ、したがって、バー１の表面に付着した塗布液あるいはバー１の表面に同伴された塗布液が、バー１の下流側において、可撓性支持体６の表面に転写されることを確実に防止することが可能になる。
【００７２】
さらに、本実施態様によれば、ドクターブレード１０を、第一の支持ブロック２ａおよび第三の支持ブロック２ｃとブレード押さえ板１１との間の空間に、ブレード押さえ板１１を貫通する位置決めピン１３に当接するまで差し込み、ドクターブレード１０が、位置決めピン１３に当接した後に、ねじ１２を締め込んで、ドクターブレード１０を、第三の支持ブロック２ｃ上に固定するように構成されているから、簡易な操作で、ドクターブレード１０を固定することが可能になる。
【００７３】
また、本実施態様によれば、基台２６の中央部に、バー１を形成しているステンレス鋼よりも柔らかい真鍮によって形成され、基台２６上に固定された第一の支持ブロック２ａの下面中央部を押し上げることができるように構成された調整ねじ３０が設けられ、調整ねじ３０によって、第一の支持ブロック２ａを押し上げ、第一の支持ブロック２ａを介して、バー１の中央部を可撓性支持体６に押し付けることが可能になるから、バー１が、その中央部が偏心した状態で、回転され、バー１の中央部において、可撓性支持体６とバー１の表面との接触圧力が低下するおそれがある場合においても、可撓性支持体６とバー１の表面との接触圧力を均一化することができ、したがって、均一な膜厚を有する塗膜を形成することが可能になる。
【００７４】
さらに、本実施態様によれば、従動回転が可能な２つのゴムローラ２１、２１を備えたバー押さえデバイス２０が、一対のサイドプレート１５、１５の外側のバー１の部分に、それぞれ、設けられ、バー押さえデバイス２０の２つのゴムローラ２１、２１によって、一対のサイドプレート１５、１５の外側のバー１の部分が押圧されるように構成されているから、回転によって、バー１が偏心した状態で回転することを抑制することが可能になる。
【００７５】
また、本実施態様においては、基台２６の上面に、２つの位置決め用ピン２７、２７が形成されるとともに、第一の支持ブロック２ａの下面に、２つの位置決め用穴２８、２８が形成されているから、第一の支持ブロック２ａの２つの位置決め用穴２８、２８内に、基台２６の上面に形成された２つの位置決め用ピン２７、２７が挿入されるように、支持ブロック２を位置させることによって、つねに、支持ブロック２を、基台２６上の所定の位置に位置決めして、基台２６上に固定することが可能になる。
【００７６】
本発明は、以上の実施態様に限定されることなく、特許請求の範囲に記載された発明の範囲内で種々の変更が可能であり、それらも本発明の範囲内に包含されるものであることはいうまでもない。
【００７７】
たとえば、前記実施態様においては、第一の支持ブロック２ａが真鍮によって形成されているが、第一の支持ブロック２ａを真鍮によって形成することは必ずしも必要でない。第一の支持ブロック２ａは、バー１の磨耗を防止するため、バー１を形成している材料よりも柔らかいことが好ましく、また、調整ねじ３０によって、撓ませることができる可撓性を有していることが好ましいが、その材料は、とくに限定されるものではなく、たとえば、真鍮に代えて、銅によって、第一の支持ブロック２ａを形成することもできる。
【００７８】
さらに、前記実施態様においては、バー１は、ステンレス鋼によって形成されているが、バー１をステンレス鋼によって形成することは必ずしも必要でなく、炭素鋼に、クロムめっきを施して、バー１を形成してもよく、あるいは、棒状部材の外周面に、針金を巻回して、バーを形成するようにしてもよい。
【００７９】
また、前記実施態様においては、サイドプレート１５、１５は、ポリテトラフルオロエチレンによって形成されているが、サイドプレート１５、１５を、ポリテトラフルオロエチレンによって形成することは必ずしも必要でなく、他のプラスチック、バー１を形成している材料よりも柔らかい金属、合金などによって、サイドプレート１５、１５を形成するようにしてもよい。
【００８０】
さらに、前記実施態様においては、ドクターブレード１０は、ポリエステルによって形成されているが、ドクターブレード１０を、ポリエステルによって形成することは必ずしも必要でなく、ナイロンなどのポリアミドや高密度ポリエチレンなどによって、ドクターブレード１０を形成することもできる。
【００８１】
また、前記実施態様においては、支持ブロック２が、第一の支持ブロック２ａ、第二の支持ブロック２ｂおよび第三の支持ブロック２ｃに分割されているが、支持ブロック２が、第一の支持ブロック２ａ、第二の支持ブロック２ｂおよび第三の支持ブロック２ｃに分割されていることは必ずしも必要でない。
【００８２】
さらに、前記実施態様においては、第二の支持ブロック２ｂの頂部が、略三角形断面を有するように形成されているが、第二の支持ブロック２ｂの頂部が、略三角形断面を有するように形成されていることは必ずしも必要でなく、十分な量の塗布液を含む液溜め５が形成可能であれば、第二の支持ブロックの頂面の断面形状は、とくに限定されるものではない。
【００８３】
また、前記実施態様においては、ドクターブレード１０を、第一の支持ブロック２ａおよび第三の支持ブロック２ｃとブレード押さえ板１１との間の空間に、ブレード押さえ板１１を貫通する位置決めピン１３に当接するまで差し込み、ドクターブレード１０が、位置決めピン１３に当接した後に、ねじ１２を締め込んで、ドクターブレード１０を、第三の支持ブロック２ｃ上に固定するように構成されているが、ドクターブレード１０を固定する方法は、とくに限定されるものではない。
【００８４】
さらに、前記実施態様においては、基台２６の上面に、２つの位置決め用ピン２７、２７が形成されるとともに、第一の支持ブロック２ａの下面に、２つの位置決め用穴２８、２８が形成されているが、基台２６の上面に、２つの位置決め用ピン２７、２７を形成し、第一の支持ブロック２ａの下面に、２つの位置決め用穴２８、２８を形成することは必ずしも必要でなく、基台２６の上面と第一の支持ブロック２ａの下面の一方に、２つの凹部を形成し、基台２６の上面と第一の支持ブロック２ａの下面の他方に、２つの凹部に対応して、２つの凸部を形成するようにしてもよい。
【００８５】
また、前記実施態様においては、基台２６の上面に、２つの位置決め用ピン２７、２７が形成されるとともに、第一の支持ブロック２ａの下面に、２つの位置決め用穴２８、２８が形成されているが、基台２６の上面に、２つの位置決め用ピン２７、２７を形成し、第一の支持ブロック２ａの下面に、２つの位置決め用穴２８、２８を形成することは必ずしも必要でなく、基台２６の上面に、３以上の位置決め用ピンを形成し、第一の支持ブロック２ａの下面に、３以上の位置決め用穴を形成するようにしてもよい。
【００８６】
また、前記実施態様においては、基台２６の中央部に、基台２６上に固定された第一の支持ブロック２ａの下面中央部を押し上げることができるように構成された調整ねじ３０が設けられているが、基台２６の中央部に、調整ねじ３０を設けることは必ずしも必要でない。
【００８７】
さらに、前記実施態様においては、従動回転が可能な２つのゴムローラ２１、２１を備えたバー押さえデバイス２０が、一対のサイドプレート１５、１５の外側のバー１の部分に、それぞれ、設けられ、バー押さえデバイス２０の２つのゴムローラ２１、２１によって、一対のサイドプレート１５、１５の外側のバー１の部分が押圧されるように構成されているが、バー押さえデバイス２０が、従動回転が可能な一対のゴムローラ２１、２１を備えていることは必ずしも必要でなく、各バー押さえデバイス２０が、駆動機構によって、回転される一対のゴムローラ２１、２１を備え、一対のゴムローラ２１、２１を、バー１と同じ周速で、回転させるようにしてもよい。
【００８８】
また、前記実施態様においては、従動回転が可能な２つのゴムローラ２１、２１を備えたバー押さえデバイス２０が、一対のサイドプレート１５、１５の外側のバー１の部分に、それぞれ、設けられ、バー押さえデバイス２０の２つのゴムローラ２１、２１によって、一対のサイドプレート１５、１５の外側のバー１の部分が押圧されるように構成されているが、バー押さえデバイス２０が、高摩擦材料によって、その表面が形成され、従動回転が可能なローラを備えていればよく、バー押さえデバイス２０が、従動回転が可能なゴムローラ２１、２１を備えていることは必ずしも必要でない。
【００８９】
さらに、前記実施態様においては、従動回転が可能な２つのゴムローラ２１、２１を備えたバー押さえデバイス２０が、一対のサイドプレート１５、１５の外側のバー１の部分に、それぞれ、設けられ、バー押さえデバイス２０の２つのゴムローラ２１、２１によって、一対のサイドプレート１５、１５の外側のバー１の部分が押圧されるように構成されているが、バー押さえデバイス２０を設けることは必ずしも必要でない。
【００９０】
【発明の効果】
本発明によれば、低コストで製造することができ、可撓性支持体の表面に転写される塗布液の量を、所望のように、制御することができるバー塗布装置を提供することが可能になる。
【図面の簡単な説明】
【図１】図１は、本発明の好ましい実施態様にかかるバー塗布装置の略断面である。
【図２】図２は、図１のＡ−Ａ線に沿ったバー塗布装置の略中央断面図である。
【図３】図３は、図１に示されたバー塗布装置の略一部側面図である。
【図４】図４は、バー押さえデバイスの略正面図である。
【符号の説明】
１  バー
２  支持ブロック
２ａ  第一の支持ブロック
２ｂ  第二の支持ブロック
２ｃ  第三の支持ブロック
３  ポケット
４  スリット
５  液溜め
６  可撓性支持体
７  ガイドローラ
８  ドレイン通路
１０  ドクターブレード
１１  ブレード押さえ板
１２  ねじ
１３  位置決めピン
１５、１５  サイドプレート
１６  切り欠き
１７  開口部
２０  バー押さえデバイス
２１  ゴムローラ
２５  バー駆動機構
２６  基台
２７、２７  位置決め用ピン
２８、２８  位置決め用穴
３０  調整ねじ
【図１】
2004305979.tif 000003
【図２】
2004305979.tif 000004
【図３】
2004305979.tif 000005
【図４】
2004305979.tif 000006